(57)【要約】【課題】電子式のトルクセンサーによって機械的なトリップメカニズム及びトルク設定手段を校正することにより、ユーザは自分でトルク値を校正することが可能なトルクレンチとそのトルク校正方法を提供する。【解決手段】チューブと、チューブの前端に位置するヘッド部と、チューブの前端に枢着されている撓み性付きロッドと、チューブの内部に位置し、撓み性付きロッドの後ろ方に位置する押付け具と、チューブの内部に位置する弾性子と、撓み性付きロッドの後ろ端と押付け具の前端の間に設けられているトリップメカニズムと、チューブの後ろ端に設けられている調整手段と、チューブに設けられており、設定するトルク値を読むことを可能にする目盛と、撓み性付きロッドの一側に設けられている少なくとも一つのトルクセンサーと、チューブに設けられている少なくとも一つの表示ユニットと、を含む。【選択図】図３
2014226776.tif 000002
【特許請求の範囲】
【請求項１】
チューブと、
前記チューブの前端に位置するヘッド部と、
前記チューブの前端に枢着されており、旋回することが可能であり、その後ろ端が前記チューブの内部に位置し、その前端に前記ヘッド部が固定されている撓み性付きロッドと、
前記チューブの内部に位置し、前記撓み性付きロッドの後ろ方に位置し、前記チューブの内部に変位することが可能である押付け具と、
前記チューブの内部に位置し、その前端が前記押付け具に押付ける弾性子と、
前記撓み性付きロッドと前記押付け具の間に介在するように、前記撓み性付きロッドの後ろ端と前記押付け具の前端の間に設けられているトリップメカニズムと、
前記チューブの後ろ端に設けられており、前記弾性子に接触し、前記弾性子の前記押付け具に加える弾力を調整することが可能である調整手段と、
前記チューブに設けられており、設定するトルク値を読むことを可能にし、機械的である目盛と、
前記撓み性付きロッドの一側に設けられており、前記撓み性付きロッドの撓み量を測定する少なくとも一つのトルクセンサーと、
前記チューブに設けられており、前記トルクセンサーによって測定されるトルク値を表示する少なくとも一つの表示ユニットと、
を含むことを特徴とするトルクレンチ。
【請求項２】
前記撓み性付きロッドはセンターラインを有し、前記トリップメカニズムは前記撓み性付きロッドの前記センターラインに位置することを特徴とする、請求項１に記載のトルクレンチ。
【請求項３】
覗き窓は前記チューブの周面に設けられており、前記調整手段はスライド具を含み、前記スライド具は、前記チューブの内部に設けられており、前記チューブの内部に変位することが可能であり、前記弾性子の後ろ端に押付け、前記調整手段は前記スライド具を駆動して変位することが可能であり、目盛付きシートは、その表面に目盛が設けられており、前記スライド具の周面に設けられており、前記スライド具と共にスライドすることが可能であり、前記覗き窓と前記スライド具の間に位置することを特徴とする、請求項１又は２に記載のトルクレンチ。
【請求項４】
前記チューブに透かし部が設けられており、前記目盛付きシートには、縦方向に沿う溝が設けられており、連結部材は、前記目盛付きシートの前記溝を挿通し、脱着可能の方式により、前記スライド具に前記目盛付きシートを固定し、前記チューブの前記透かし部に対応することを特徴とする、請求項３に記載のトルクレンチ。
【請求項５】
前記調整手段は、更に、ハンドルと、調整具と、を含み、前記調整具は、前記チューブの内部に設けられており、前記チューブの内部に回動することが可能であり、直線的に変位することができず、その前端が前記スライド具の後ろ端に螺着されており、前記ハンドルは、前記チューブの後ろ端に嵌め設けられており、前記調整具と連接し、前記ハンドルを回転しているときには、前記調整具が駆動されて回転することを特徴とする、請求項４に記載のトルクレンチ。
【請求項６】
エンドカバーは、前記ハンドルの前端に脱着可能に連接されており、前記エンドカバーが前記ハンドルに連接されているときには、前記透かし部が遮断され、前記エンドカバーが前記ハンドルから分離するときには、前記透かし部が外部に露呈することを特徴とする、請求項５に記載のトルクレンチ。
【請求項７】
前記ハンドルは、前記調整具に脱着可能に連接されており、前記ハンドルが前記調整具に連接されているときには、前記透かし部が遮断されることを特徴とする、請求項５に記載のトルクレンチ。
【請求項８】
前記チューブの周面に目盛が設けられており、前記調整手段は、ハンドルと、調整具と、を含み、前記調整具は、前記チューブの内部に設けられており、前記ハンドルは前記チューブの後ろ端に嵌め設けられており、前記ハンドルと前記調整具は、前記チューブの軸方向での相対位置を調整可能の方式によって連接されており、前記ハンドルの前端縁は前記目盛に位置し、前記ハンドルを回転しているときには、前記ハンドルと前記調整具が前記チューブの縦方向に沿って変位することを特徴とする、請求項１又は２に記載のトルクレンチ。
【請求項９】
更に、電子装置を含み、前記電子装置は、前記チューブに組み付けられており、ケースと、電子回路ユニットと、少なくとも一つのボタンと、前記表示ユニットと、を含み、前記ケースは前記チューブに設けられており、前記電子回路ユニット、前記ボタン及び前記表示ユニットは、前記ケースの内部に設けられており、前記ボタン及び前記表示ユニットは、前記電子回路ユニットと電気的に接続していることを特徴とする、請求項１又は２に記載のトルクレンチ。
【請求項１０】
請求項１に記載のトルクレンチに電源が設けられており、前記トルクレンチは、前記撓み性付きロッド、前記押付け具、前記弾性子、前記トリップメカニズム、前記調整手段及び前記目盛から、構成される機械的構成と、前記トルクセンサー及び前記表示ユニットから構成される電子的構成と、を有し、その校正方法は、
前記トルクレンチの電源をオンにして、前記トルクセンサーと前記表示ユニットとに電力を供給するステップＡと、
前記調整手段により、前記トルクレンチの機械的構成を必要のトルク値に設定/調整して、前記機械的構成のトルク値は前記トリップメカニズムのトリップ時のトルク値であるステップＢと、
前記トルクレンチに力を加えて前記トリップメカニズムがトリップしているときに、前記トルクセンサーにより、前記撓み性付きロッドのトルク値を測定するステップＣと、
前記トルクレンチがトリップしているときに、前記トルクセンサーによって測定される前記撓み性付きロッドのトルク値を前記表示ユニットに表示するステップＤと、
前記トルクレンチの機械的構成に設定/調整されるトルク値が、前記トルクセンサーによって測定されるトルク値に合うかどうかを対比して、当該二つのトルク値が合わないときに、ステップＢに戻して校正プロセスを行い、当該二つのトルク値が合うときに、ステップＦに入るステップＥと、
電源をオフにして校正プロセスを終了するステップＦと、
を含むことを特徴とするトルク校正方法。
【請求項１１】
覗き窓と透かし部は前記チューブの周面に設けられており、前記調整手段はスライド具を含み、前記スライド具は、前記チューブの内部に変位することが可能であり、前記弾性子の後ろ端に押付け、前記調整手段は前記スライド具を駆動して変位することが可能であり、連結部材は、脱着可能の方式により、前記スライド具に目盛付きシートを組付けて、前記目盛付きシートは、前記スライド具と共に変位することが可能であり、前記覗き窓と前記スライド具の間に位置し、前記連結部材は前記チューブの前記透かし部に対応し、
前記ステップＢにおいて、前記目盛付きシートの前記スライド具に設ける位置を調整することを特徴とする、請求項１０に記載のトルク校正方法。
【請求項１２】
前記調整手段は、ハンドルと、調整具と、を含み、前記調整具は前記チューブの内部に設けられており、前記ハンドルは、前記チューブの後ろ端に嵌め設けられており、前記ハンドルと前記調整具は、相対位置を調整可能の方式によって連接されており、前記ハンドルを回転しているときには、前記ハンドルと前記調整具が前記チューブの縦方向に沿って変位し、
前記ステップＢにおいて、前記チューブの軸方向での前記ハンドルと前記調整具の相対位置を調整することを特徴とする、請求項１０に記載のトルク校正方法。
【請求項１３】
前記撓み性付きロッドはセンターラインを有し、前記トリップメカニズムは前記撓み性付きロッドの前記センターラインに位置することを特徴とする、請求項１０に記載のトルク校正方法。
【請求項１４】
前記機械的構成のトルク値は、前記トルクセンサーによって測定されるトルク値の０．９６〜１．０４倍の範囲内に調整されることを特徴とする、請求項１０から１３の何れかの一つに記載のトルク校正方法。
【発明の詳細な説明】
【技術分野】
【０００１】
本発明は、トルクレンチに関し、特に、機械式のトルクレンチのトルク校正構造とそのトルク校正方法に関するものである。
【背景技術】
【０００２】
トルクレンチはトルク値を設定することが可能である。トルクレンチによるトルクが設定されるトルク値に到達すると、警告を發する。機械式のトルクレンチは、トリップメカニズムを有し、弾性子が前記トリップメカニズムに押付ける。前記トルクレンチに調整手段が設けられており、前記調整手段により、前記弾性子の前記トリップメカニズムに加える弾力を変更することが可能である。前記トルクレンチのハンドルには、目盛を有する覗き窓が設けられている。前記目盛により、前記トルクレンチの設定されるトルク値を表示することが可能である。前記トルクレンチによってボルト又はナットを回転しているときには、トルクが設定されるトルク値を超えると、前記トリップメカニズムがトリップして、振動を生じて音響を發する。前記トルクレンチの振動及び/又は音響により、ユーザは前記トルクレンチのトルクが設定されるトルク値に到達することを即時に把握することが可能である。
【０００３】
前記トルクレンチを長期間にわたって利用されると、前記トリップメカニズムが磨耗されて、前記トルクレンチの設定されるトルク値が真実のトルクではなくなる。すなわち、例えば前記トルクレンチの設定されるトルク値が２ニュートン・メートルであるが、ボルト又はナットを締め付けるトルクが１．６ニュートン・メートルである。このように、ボルト又はナットを締め付けるトルクは予定のトルク値に到達しないため、機械設備又は建築物の安全性が降下する。
【０００４】
機械式のトルクレンチは、上記の問題を発生するときに、メーカ又は代理店に送られて校正することが必要であり、ユーザが自分で校正することはできない。
【発明の概要】
【発明が解決しようとする課題】
【０００５】
本発明の主な目的は、トルクを校正する設計を有するため、ユーザは自分でトルクを校正することが可能であるトルクレンチを提供することにある。
【０００６】
本発明の次の目的は、トルクレンチは、機械的なトリップメカニズム、トルク設定手段及び少なくとも一つの電子式のトルクセンサーを有するため、電子式のトルクセンサーによって機械的なトリップメカニズム及びトルク設定手段を校正することにより、トルクレンチのトルク値を校正することが可能であるトルク校正方法を提供することにある。
【課題を解決するための手段】
【０００７】
本発明のトルクレンチによると、チューブと、
チューブの前端に位置するヘッド部と、
チューブの前端に枢着されており、旋回することが可能であり、その後ろ端がチューブの内部に位置し、その前端にヘッド部が固定されている撓み性付きロッドと、
チューブの内部に位置し、撓み性付きロッドの後ろ方に位置し、チューブの内部に変位することが可能である押付け具と、
チューブの内部に位置し、その前端が押付け具に押付ける弾性子と、
撓み性付きロッドと押付け具の間に介在するように、撓み性付きロッドの後ろ端と押付け具の前端の間に設けられているトリップメカニズムと、
チューブの後ろ端に設けられており、弾性子に接触し、弾性子の押付け具に加える弾力を調整することが可能である調整手段と、
チューブに設けられており、設定するトルク値を読むことを可能にし、機械的である目盛と、
撓み性付きロッドの一側に設けられており、撓み性付きロッドの撓み量を測定する少なくとも一つのトルクセンサーと、
チューブに設けられており、トルクセンサーによって測定されるトルク値を表示する少なくとも一つの表示ユニットと、
を含むことを特徴とする。
【０００８】
本発明のトルクレンチによると、撓み性付きロッドはセンターラインを有し、トリップメカニズムは撓み性付きロッドのセンターラインに位置することを特徴とする。
【０００９】
本発明のトルクレンチによると、覗き窓はチューブの周面に設けられており、調整手段はスライド具を含み、スライド具は、チューブの内部に設けられており、チューブの内部に変位することが可能であり、弾性子の後ろ端に押付け、調整手段はスライド具を駆動して変位することが可能であり、目盛付きシートは、その表面に目盛が設けられており、スライド具の周面に設けられており、スライド具と共にスライドすることが可能であり、覗き窓とスライド具の間に位置することを特徴とする。
【００１０】
本発明のトルクレンチによると、チューブに透かし部が設けられており、目盛付きシートには、縦方向に沿う溝が設けられており、連結部材は、目盛付きシートの溝を挿通し、脱着可能の方式により、スライド具に目盛付きシートを固定し、チューブの透かし部に対応することを特徴とする。
【００１１】
本発明のトルクレンチによると、調整手段は、更に、ハンドルと、調整具と、を含み、調整具は、チューブの内部に設けられており、チューブの内部に回動することが可能であり、直線的に変位することができず、その前端がスライド具の後ろ端に螺着されており、ハンドルは、チューブの後ろ端に嵌め設けられており、調整具と連接し、ハンドルを回転しているときには、調整具が駆動されて回転することを特徴とする。
【００１２】
本発明のトルクレンチによると、エンドカバーは、ハンドルの前端に脱着可能に連接されており、エンドカバーがハンドルに連接されているときには、透かし部が遮断され、エンドカバーがハンドルから分離するときには、透かし部が外部に露呈することを特徴とする。
【００１３】
本発明のトルクレンチによると、ハンドルは、調整具に脱着可能に連接されており、ハンドルが調整具に連接されているときには、透かし部が遮断されることを特徴とする。
【００１４】
本発明のトルクレンチによると、チューブの周面に目盛が設けられており、調整手段は、ハンドルと、調整具と、を含み、調整具は、チューブの内部に設けられており、ハンドルはチューブの後ろ端に嵌め設けられており、ハンドルと調整具は、チューブの軸方向での相対位置を調整可能の方式によって連接されており、ハンドルの前端縁は目盛に位置し、ハンドルを回転しているときには、ハンドルと調整具がチューブの縦方向に沿って変位することを特徴とする。
【００１５】
本発明のトルクレンチによると、更に、電子装置を含み、電子装置は、チューブに組み付けられており、ケースと、電子回路ユニットと、少なくとも一つのボタンと、表示ユニットと、を含み、ケースはチューブに設けられており、電子回路ユニット、ボタン及び表示ユニットは、ケースの内部に設けられており、ボタン及び表示ユニットは、電子回路ユニットと電気的に接続していることを特徴とする。
【００１６】
本発明のトルク校正方法によると、請求項１に記載のトルクレンチに電源が設けられており、トルクレンチは、撓み性付きロッド、押付け具、弾性子、トリップメカニズム、調整手段及び目盛から、構成される機械的構成と、トルクセンサー及び表示ユニットから構成される電子的構成と、を有し、その校正方法は、
トルクレンチの電源をオンにして、トルクセンサーと表示ユニットとに電力を供給するステップＡと、
調整手段により、トルクレンチの機械的構成を必要のトルク値に設定/調整して、機械的構成のトルク値はトリップメカニズムのトリップ時のトルク値であるステップＢと、
トルクレンチに力を加えてトリップメカニズムがトリップしているときに、トルクセンサーにより、撓み性付きロッドのトルク値を測定するステップＣと、
トルクレンチがトリップしているときに、トルクセンサーによって測定される撓み性付きロッドのトルク値を表示ユニットに表示するステップＤと、
トルクレンチの機械的構成に設定/調整されるトルク値が、トルクセンサーによって測定されるトルク値に合うかどうかを対比して、当該二つのトルク値が合わないときに、ステップＢに戻して校正プロセスを行い、当該二つのトルク値が合うときに、ステップＦに入るステップＥと、
電源をオフにして校正プロセスを終了するステップＦと、
を含むことを特徴とする。
【００１７】
本発明のトルク校正方法によると、覗き窓と透かし部はチューブの周面に設けられており、調整手段はスライド具を含み、スライド具は、チューブの内部に変位することが可能であり、弾性子の後ろ端に押付け、調整手段はスライド具を駆動して変位することが可能であり、連結部材は、脱着可能の方式により、スライド具に目盛付きシートを組付けて、目盛付きシートは、スライド具と共に変位することが可能であり、覗き窓とスライド具の間に位置し、連結部材はチューブの透かし部に対応し、
ステップＢにおいて、目盛付きシートのスライド具に設ける位置を調整することを特徴とする。
【００１８】
本発明のトルク校正方法によると、調整手段は、ハンドルと、調整具と、を含み、調整具はチューブの内部に設けられており、ハンドルは、チューブの後ろ端に嵌め設けられており、ハンドルと調整具は、相対位置を調整可能の方式によって連接されており、ハンドルを回転しているときには、ハンドルと調整具がチューブの縦方向に沿って変位し、
ステップＢにおいて、チューブの軸方向でのハンドルと調整具の相対位置を調整することを特徴とする。
【００１９】
本発明のトルク校正方法によると、撓み性付きロッドはセンターラインを有し、トリップメカニズムは撓み性付きロッドのセンターラインに位置することを特徴とする。
【００２０】
本発明のトルク校正方法によると、機械的構成のトルク値は、トルクセンサーによって測定されるトルク値の０．９６〜１．０４倍の範囲内に調整されることを特徴とする。
【発明の効果】
【００２１】
本発明のトルク校正可能なトルクレンチとそのトルク校正方法によれば、次のような効果がある。
（１）トルクを校正する設計を有するため、ユーザは自分でトルクを校正することが可能である。
【００２２】
（２）トルクレンチは、機械的なトリップメカニズム、トルク設定手段及び少なくとも一つの電子式のトルクセンサーを有するため、電子式のトルクセンサーによって機械的なトリップメカニズム及びトルク設定手段を校正することにより、ユーザは自分でトルクレンチのトルク値を校正することが可能である。
【図面の簡単な説明】
【００２３】
【図１】本発明の実施例１を示す上面図である。
【図２】本発明の実施例１を示す側面図である。
【図３】図２における３−３線の断面図である。
【図４】図１における４−４線の断面図である。
【図５】図３の一部を示す拡大図である。
【図６】図４の一部を示す拡大図である。
【図７】本発明の実施例１の一部を示す分解斜視図である。
【図８】本発明の実施例１のトルクレンチの電子回路を示すブロック図である。
【図９】本発明の実施例１の一部を示す断面図である。
【図１０】本発明の実施例１のトルクを校正するプロセスを示す図である。
【図１１】本発明の実施例１を示す断面図であって、トルクを校正している状態を示す。
【図１２】本発明の実施例２の一部を示す断面図である。
【図１３】本発明の実施例３の一部を示す断面図である。
【図１４】本発明の実施例４の一部を示す断面図である。
【図１５】本発明の実施例５を示す上面図である。
【発明を実施するための形態】
【００２４】
以下、本発明の実施の形態を図面に基づいて説明する。
【００２５】
（実施例１）
図１から図４を参照する。図１は本発明の実施例１を示す上面図であり、図２は本発明の実施例１を示す側面図であり、図３は図２における３−３線の断面図であり、図４は図１における４−４線の断面図である。本実施例のトルクレンチ１０は、機械式のトルクレンチであり、機械的構成であるトリップメカニズムと、電子的構成であるトルクセンサー及びディスプレイと、を含む。本発明の設計の目的は、トルクレンチに設けられている電子的構成により、機械的構成のトルクを校正することにある。
【００２６】
図３から図５を参照する。図５は図３の一部を示す拡大図である。トルクレンチ１０は、チューブ２０と、チューブ２０の前端に設けられているヘッド部２２と、を含む。ヘッド部２２は、オープンエンドレンチ又はラチェットレンチであるが、本発明はこれらに限定されない。トルクレンチ１０は、ヘッド部２２によってボルト、ナット又はスリーブを回転することが可能である。撓み性付きロッド２５は、左右対称なロッドであり、枢着軸２５１を介してチューブ２０の前端に枢着されており、枢着軸２５１を中心として旋回することが可能である。撓み性付きロッド２５は、その後ろ端がチューブ２０の内部に位置し、その前端がヘッド部２２に固定されている。
【００２７】
チューブ２０の内部には、押付け具３０、弾性子（圧縮バネ）３２及びスライド具３４が順序に設けられている。押付け具３０は、撓み性付きロッド２５の後ろ方に位置し、チューブ２０の内部にスライドすることが可能である。スライド具３４は、チューブ２０の内部に直線的にスライドすることが可能であるが、回動することができず、その内部にねじ穴３５が設けられている。弾性子３２は、押付け具３０とスライド具３４の間に位置し、その前端が押付け具３０に押付け、その後ろ端がスライド具３４に押付ける。
【００２８】
調整手段４０は、スライド具３４と、チューブ２０の後ろ端の周面に嵌め設けられているハンドル４２と、チューブ２０の内部に設けられている調整具４４と、を含む。調整具４４は、チューブ２０の内部に回動することが可能であるが、直線的に変位することができない。調整具４４の後ろ端は、ハンドル４２に直接に連接されており、又は別の部材を介してハンドル４２に連接されている。調整具４４の前端は、ねじ軸部４５であり、スライド具３４のねじ穴３５に螺着されている。ハンドル４２を回転しているときには、調整具４４がハンドル４２と共に回転して、ねじ軸部４５がスライド具３４を駆動してチューブ２０に沿って前後にスライドすることが可能であり、これにより、スライド具３４の位置を調整することが可能である。このように、弾性子３２の押付け具３０に加える弾力を変更することが可能である。ハンドル４２は、チューブ２０の後ろ端から取外して、調整具４４から離脱することが可能である。エンドカバー４６は、ハンドル４２の前端に脱着可能に嵌め設けられており、その周面に目盛が設けられている。
【００２９】
図６を参照する。図６は図４の一部を示す拡大図である。トリップメカニズム５０は、撓み性付きロッド２５の後ろ端と押付け具３０の間に設けられており、当該トルクレンチのトルクが設定されるトルク値を超えるときに、トリップメカニズム５０はトリップする。トリップメカニズム５０は、異なる形式であってもよく、本実施例のトリップメカニズム５０は、撓み性付きロッドの後ろ端に設けられている第１凹み部５２と、押付け具の前端に設けられている第２凹み部５４と、立方体を呈する押上げブロック５５と、を含む。押上げブロック５５は、第１凹み部５２及び第２凹み部５４に接触し、第１凹み部５２と第２凹み部５４との幅は、押上げブロック５５の幅と同じ、又は押上げブロック５５の幅よりもやや大きい。押付け具３０が弾性子３２による弾力を受けるため、押上げブロック５５は押付け具３０と撓み性付きロッド２５に弾性的に挟まれる。
【００３０】
平常時に、トリップメカニズム５０の第１凹み部５２と第２凹み部５４は互いに対向し、押上げブロック５５の前端及び後ろ端は、第１凹み部５２と第２凹み部５４にそれぞれ接触する。
【００３１】
図５及び図７を参照する。図７は本発明の実施例１の一部を示す分解斜視図である。本実施例のトルクレンチは、機械的な目盛表示構成を有する。具体的には、目盛表示構成は、チューブ２０の上面に設けられている覗き窓２４と、覗き窓２４に組み付けられており、その表面にライン２３１が設けられている透明具２３と、チューブ２０の周面に固定されている蓋２６と、を含み、透明具２３は蓋２６に固定される。目盛付きシート２８は、その表面に目盛２８１が印刷されており、その縦方向に溝２８２が設けられている。連結部材は、ねじ２８３であり、溝２８２を挿通して、スライド具３４の周面に目盛付きシート２８を固定する。このように、目盛付きシート２８は、スライド具３４と共に変位し、覗き窓２４の下方に位置する。ユーザは、図２に示すように、透明具２３から目盛付きシート２８の目盛２８１を読むことが可能であり、これにより、トルクレンチの設定されるトルク値を知ることが可能である。本実施例では、透かし部がチューブの縦方向に沿って設けられている貫通溝２９である。ねじ２８３は貫通溝２９に収容されているため、スライド具３４は、チューブ２０の内部に直線的に変位することが可能であり、回動することができない。
【００３２】
上記の機械的構成の他、本発明のトルクレンチは、更に、トルクレンチのトルクを校正するための電子的構成を有する。図６を参照する。撓み性付きロッド２５の少なくとも一つの側面に凹み２７が設けられている。少なくとも一つのトルクセンサー６０は、例えば張力ゲージ又は歪みゲージであり、撓み性付きロッド２５の凹み２７に設けられており、撓み性付きロッド２５の変形量を測定する。
【００３３】
図２を参照する。表示ユニット７２は、例えば液晶ディスプレイであり、チューブ２０の周面に設けられており、トルクセンサー６０と電気的に接続している。トルクセンサー６０によって測定されるトルク値は表示ユニット７２に表示する。詳細的には、図５に示すように、電子装置７０は、チューブ２０に組み付けられており、ケース７１と、表示ユニット７２と、電子回路ユニット（例えばプリント回路が設けられている回路基板７４）と、少なくとも一つのボタン７６と、を含む。本実施例では、ボタンが二つある。ケース７１はチューブ２０に固定されている。表示ユニット７２、回路基板７４及び二つのボタン７６は、ケース７１内に設けられている。表示ユニット７２と二つのボタン７６は、回路基板７４と電気的に接続する。前記電子回路ユニットにより、トルクセンサー６０によって測定されるトルク値は表示ユニット７２に表示し、二つのボタン７６は、例えば電源のオン・オフ、データの入力、選択、設定、又はセーブなどを行うことが可能であるが、本発明はこれらに限定されない。
【００３４】
図８を参照する。図８は本発明の実施例１のトルクレンチの電子回路を示すブロック図である。電子装置７０の電子回路は、マイクロプロセッサー８０と、マイクロプロセッサー８０と電気的に接続するＵＳＢ変換ユニット８２と、電気的消去可能プログラマブル読取専用メモリ（ＥＥＰＲＯＭ  Ｍｅｍｏｒｙ）８４と、トルクセンサー６０と、表示ユニット７２と、を含む。電子装置７０の電子回路は、更に、ＬＥＤランプと、ブザーと、振動器８６と、を含む。一方、前記トルクレンチの適当の位置、又は電子装置７０には、電源が設けられている。
【００３５】
本発明のトルクレンチ１０は、機械的構成により、トルクが設定されるトルク値に到達するかどうかを判断する。ユーザがトルクレンチ１０のトルク値を設定したいときには、調整手段４０によってスライド具３４を駆動してスライドして、弾性子３２の弾力を変更する。弾性子３２がより大きい弾力で押付け具３０を押付けるときには、トルクレンチ１０の設定トルク値がより高い。このように、トリップメカニズム５０がより大きいトルクを受けないと、トリップしない。逆に、弾性子３２がより小さい弾力で押付け具３０を押付けるときには、トルクレンチ１０の設定トルク値がより低い。ユーザは、目盛付きシート２８の目盛２８１により、設定されるトルク値を知ることが可能である。
【００３６】
トルクレンチ１０のボルト、ナット、又はスリーブを回転するトルクが設定されるトルク値に到達すると、トリップメカニズム５０がトリップして、図９に示すように、撓み性付きロッド２５の後ろ端と押付け具３０はそれぞれ両側に旋回して、凹み部５２、５４は転位状態になって、押付け具３０が回転して二つのコーナーがそれぞれ凹み部５２、５４に接触する。トリップメカニズム５０がトリップしているときには、振動及び音響が発する。この振動及び音響により、ユーザは、トルクレンチ１０のトルクが設定されるトルク値に到達することを迅速に判断することが可能である。平常時に、トルクレンチ１０は前記電子的構成の電源をオンにすることが必要せず、すなわち、トルクレンチ１０のトルクが設定されるトルク値に到達するかどうかとの判断は、トルクセンサー６０に依ることはない。
【００３７】
トルクレンチ１０を長期間に利用されると、トリップメカニズム５０が磨耗されて、弾性子３２のスライド具３４に加える弾力が降下して、トルクに誤差が生じる。例えば目盛付きシート２８に、設定されるトルク値が２ニュートン・メートルを表示するが、ボルト又はナットを締め付ける実際のトルクが１．６ニュートン・メートルである。このとき、ユーザは、トルクレンチ１０の電子的構成により、機械的構成の誤差を校正して調整することが可能である。
【００３８】
図１０を参照する。図１０は本発明の実施例１のトルクを校正するプロセスを示す図である。トルクレンチ１０は、撓み性付きロッド、押付け具、弾性子、トリップメカニズム、調整手段及び目盛から、構成される機械的構成と、トルクセンサー及び表示ユニットから構成される電子的構成と、を有し、その校正方法は下記のステップを含む。
【００３９】
ステップＡは、ボタン７６を押圧することにより、トルクレンチ１０電子装置７０の電源をオンにして、電子装置７０を起動する。
【００４０】
ステップＢは、調整手段４０により、トルクレンチ１０の機械的構成を必要のトルク値に設定/調整する。機械的構成の前記トルク値はトリップメカニズム５０のトリップ時のトルク値である。例えばトルクレンチ１０のトルク値を３ニュートン・メートル（目盛付きシートに表示する数値）に設定する。
【００４１】
ステップＣは、トルクレンチ１０に力を加えてトリップメカニズム５０がトリップしているときに、撓み性付きロッド２５が撓んで、トルクセンサー６０により、撓み性付きロッド２５の歪み量を測定することにより、トルクレンチ１０のトルク値を即時に測定する。電子装置であるトルクセンサー６０によって測定されるトルク値は精確であるため、トルクレンチ１０のトルク値を精確に測定することが可能である。
【００４２】
ステップＤは、トリップメカニズム５０がトリップしているときに、トルクセンサー６０によって測定される撓み性付きロッド２５のトルク値を表示ユニット７２に表示する。電子装置７０の回路設計により、トリップメカニズム５０がトリップしているときのトルク値を表示ユニット７２に表示し、又はトルクレンチ１０を引いているときから、トリップメカニズム５０がトリップするまでの最大トルク値を表示ユニット７２に表示する。すなわち、表示ユニット７２に表示するトルク値は、トルクレンチ１０を校正しているときの最大トルク値である。本発明のトルクレンチ１０は、トルク値のピーク値を記録し、すなわち、表示ユニット７２に表示する数値は、校正の過程中に、トリップメカニズム５０の最大トルク値である。
一方、電子装置７０は、更に、ＬＥＤランプと、ブザーと、振動器と、を含む。光線の点滅、音響及び振動により、トリップメカニズム５０がトリップすることをユーザに警告することが可能である。
【００４３】
ステップＥは、トルクレンチ１０の機械的構成に設定/調整されるトルク値（すなわち、目盛付きシートに表示するトルク値であり、以下、機械トルク値と称し）が、トルクセンサー６０によって測定されるトルク値（以下、電子トルク値と称し）に合うかどうかを対比して、当該二つのトルク値が合わない（例えば設定される機械トルク値が３ニュートン・メートルであるが、電子トルク値が２．７ニュートン・メートルである）ときに、ステップＢに戻して校正プロセスを行い（当該誤差値（０．３ニュートン・メートル）によってトルクレンチの機械的構成のトルクを校正）、当該二つのトルク値が合うときに、ステップＦに入る。
【００４４】
ステップＦは、電子装置７０の電源をオフにして校正プロセスを終了する。
【００４５】
調整された機械トルク値は、電子トルク値の０．９６〜１．０４倍の範囲内にあれば、精確とは言える。調整された機械トルク値は、電子トルク値の１．０４倍であることが好ましい。
【００４６】
本発明のトルクレンチは、電子的構成により機械的構成のトルクを校正し、その構造の設計の重点は、トリップメカニズム５０が撓み性付きロッド２５のセンターラインＣに位置することにある。すなわち、凹み部５２、５４と押上げブロック５５は、センターラインＣに位置し、センターラインＣの外部に位置しない。トリップメカニズム５０の中心はセンターラインＣに位置することが好ましい。本願の出願人の研究によると、トリップメカニズム５０が撓み性付きロッド２５の中心に位置するときに、トルクセンサー６０によって測定されるトルク値は、トリップメカニズム５０がトリップするときの真実のトルク値であり、なお、トリップメカニズム５０が撓み性付きロッド２５の中心からずれるときに、トルクセンサー６０によって測定されるトルク値は、トリップメカニズム５０がトリップするときの真実のトルク値ではなく、このとき、最大十数％の誤差を生じる。
【００４７】
図１１を参照する。図１１は本発明の実施例１を示す断面図であって、トルクを校正している状態を示す。トリップメカニズム５０が磨耗されると、弾性子３２の弾力が減少するため、トルクレンチの機械的構成のトルク値が精確ではなくなる。校正の過程中に、弾性子３２が正確の弾力に回復し、すなわち、ユーザは、スライド具３４をトリップメカニズム５０に近付けることにより、弾性子３２の弾力を増加して、トリップメカニズム５０の磨耗による弾性子３２の弾力の減少を補償して、トルク値の誤差を無くすことが可能である。トルク値に誤差が発生するときには、目盛付きシート２８に表示するトルク値が正確ではないため、目盛付きシート２８のスライド具３４での位置を調整することが必要である。このため、ステップＢにおいて、トルク値を調整するときには、調整手段４０のハンドル４２を取外して、校正者は、図１１に示すように、ねじ２８３を緩めることにより目盛付きシート２８を緩めて、トルクセンサー６０によって測定されるトルク値に依って、目盛付きシート２８を後ろ方へ移動して正確の位置に固定する。そうすると、目盛付きシート２８は正確のトルク値の位置に位置する。校正を終了した後、目盛付きシート２８に表示する数値は、トルクセンサー６０によって測定されるトルク値に一致する。
【００４８】
（実施例２）
図１２を参照する。図１２は、本発明の実施例２の一部を示す断面図であり、部品の符号は実施例１を流用する。本実施例では、ステップＢを行うときに、エンドカバー４６をハンドル４２から分離して、貫通溝２９とねじ２８３を露呈することにより、目盛付きシート２８の位置を調整することが可能である。目盛付きシート２８の位置を調整した後、ハンドル４２の前端にエンドカバー４６を嵌めて貫通溝２９をカバーする。このように、トルクレンチの機械的構成のトルク値を校正するときには、ハンドル４２を取外すことが必要ない。
【００４９】
目盛付きシート２８の調整作業は容易になるため、ユーザは自分でトルク値の校正作業を行うことが可能であり、メーカや代理店にトルクレンチを送って校正作業を行う必要はない。
【００５０】
（実施例３）
図１３を参照する。図１３は、本発明の実施例３の一部を示す断面図であり、部品の符号は上記の実施例を流用する。本実施例の上記の実施例と相違する点はトリップメカニズム５０にある。本実施例のトリップメカニズム５０は、転がり子９０（玉又はピン）と、ロッド９１、９２と、を含む。トリップメカニズム５０は、押付け具３０の前端と撓み性付きロッド２５の後ろ端の間に位置する。転がり子９０はロッド９１、９２に接触する。上記と同じように、トリップメカニズム５０は撓み性付きロッド２５のセンターラインＣに位置し、これにより、トルクセンサー６０によって測定されるトルク値は、トリップメカニズム５０の真実のトルク値である。すなわち、ロッド９１、９２はセンターラインＣの両側に対称的に設けられており、転がり子９０はセンターラインＣに位置する。
【００５１】
（実施例４）
図１４を参照する。図１４は、本発明の実施例４の一部を示す断面図である。本実施例の上記の実施例と相違する点はトリップメカニズム５０にある。本実施例のトリップメカニズム５０は、転がり子９０（玉又はニードル）と、円弧形を呈する窪み９４と、を含む。トリップメカニズム５０は、押付け具３０の前端と撓み性付きロッド２５の後ろ端の間に位置する。転がり子９０は窪み９４に接触する。このように、トリップメカニズム５０は撓み性付きロッド２５のセンターラインＣに位置する。詳細的には、転がり子９０と窪み９４はセンターラインＣに位置する。
【００５２】
（実施例５）
図１５を参照する。図１５は本発明の実施例５を示す上面図である。本実施例のトルクレンチは、目盛付きシートを有せず、チューブに覗き窓が設けられていない。チューブ２０の周面に目盛２８１が設けられている。調整手段４０の調整具４４は、チューブ２０の内部に螺着されており、その前端がスライド具又は弾性子に押付ける。ハンドル４２と調整具４４は、チューブ２０の軸方向での相対位置を調整可能の方式により連接されている。ハンドル４２を回転することにより、トルクレンチ１０のトルク値を調整することが可能である。すななち、ハンドル４２を回転しているときには、ハンドル４２と調整具４４がチューブ２０の縦方向に沿って変位して、弾性子の弾力を変更することが可能である。ハンドル４２の前端縁４２１と目盛２８１から、トルク値表示構成が形成される。前端縁４２１に表示する数値は、トルクレンチ１０の設定されるトルク値である。トルクレンチ１０の機械的構成のトルク値に誤差が発生するときには、上記の校正プロセスを行う。すなわち、ハンドル４２と調整具４４の連接を解除して、電子的構成によって測定されるトルク値に依って、ハンドル４２を正確の位置に調整することにより、前端縁４２１が正確の目盛に位置する。最後に、ハンドル４２と調整具４４を連接すると、トルク値の校正プロセスが終了する。本実施例のトルク値の校正プロセスは、ハンドル４２と調整具４４の相対位置を変更することにより、ハンドル４２の前端縁４２１が正確の目盛に位置する。
【００５３】
なお、本発明は前記実施の形態に限定されるものではなく、本発明の趣旨に基づいて種々変形させることが可能であり、それらを本発明の範囲から排除するものではない。
【産業上の利用可能性】
【００５４】
本発明は、トルクレンチに適用することができる。
【符号の説明】
【００５５】
１０  トルクレンチ
２０  チューブ
２２  ヘッド部
２３  透明具
２４  覗き窓
２５  撓み性付きロッド
２６  蓋
２７  凹み
２８  目盛付きシート
２９  貫通溝
３０  押付け具
３２  弾性子
３４  スライド具
３５  ねじ穴
４０  調整手段
４２  ハンドル
４４  調整具
４５  ねじ軸部
４６  エンドカバー
５０  トリップメカニズム
５２  第１凹み部
５４  第２凹み部
５５  押上げブロック
６０  トルクセンサー
７０  電子装置
７１  ケース
７２  表示ユニット
７４  電子回路ユニット
７６  ボタン
９０  転がり子
９１、９２  ロッド
９４  窪み
２５１  枢着軸
２８１  目盛
２８２  溝
２８３  連結部材
４２１  前端縁
【図１】
2014226776.tif 000003
【図２】
2014226776.tif 000004
【図３】
2014226776.tif 000005
【図４】
2014226776.tif 000006
【図５】
2014226776.tif 000007
【図６】
2014226776.tif 000008
【図７】
2014226776.tif 000009
【図８】
2014226776.tif 000010
【図９】
2014226776.tif 000011
【図１０】
2014226776.tif 000012
【図１１】
2014226776.tif 000013
【図１２】
2014226776.tif 000014
【図１３】
2014226776.tif 000015
【図１４】
2014226776.tif 000016
【図１５】
2014226776.tif 000017